(57)【要約】      （修正有）【課題】複数の操作表示部が貨幣処理機に設けられている場合において、状況に応じて操作者にとって使い易い操作表示部を選択して使用することができるようになり操作者にとっての操作性を向上させることができる貨幣処理機および貨幣処理方法を提供する。【解決手段】貨幣処理機（出納機１）は、貨幣の処理を行う貨幣処理部１０、２０、３０、４０と、貨幣処理部の制御を行う制御部６０と、制御部６０に対して様々な指令を入力する指令入力機能および様々な情報を表示する表示機能を各々が有する複数の操作表示部７８、８８と、を備えている。制御部６０は、複数の操作表示部のうちある操作表示部により切替指令が入力されたときに、一の操作表示部において実行されている指令入力機能および表示機能を他の操作表示部において実行させるよう操作表示部の切替を行う。【選択図】図２
2014232471.tif 000002
【特許請求の範囲】
【請求項１】
貨幣の処理を行う貨幣処理部と、
前記貨幣処理部の制御を行う制御部と、
前記制御部に対して様々な指令を入力する指令入力機能および様々な情報を表示する表示機能を各々が有する複数の操作表示部と、
を備え、
前記制御部は、前記複数の操作表示部のうちある操作表示部により切替指令が入力されたときに、一の操作表示部において実行されている指令入力機能および表示機能を他の操作表示部において実行させるよう操作表示部の切替を行う、貨幣処理機。
【請求項２】
前記制御部は、切替指令が入力された操作表示部において実行されている指令入力機能および表示機能を、切替指令が入力された操作表示部以外の操作表示部において実行させるよう操作表示部の切替を行う、請求項１記載の貨幣処理機。
【請求項３】
前記制御部は、前記複数の操作表示部のうちある操作表示部により切替指令が入力されたときに、切替指令が入力された操作表示部以外の操作表示部において実行されている指令入力機能および表示機能を、切替指令が入力された操作表示部において実行させるよう操作表示部の切替を行う、請求項１記載の貨幣処理機。
【請求項４】
前記制御部は、切替前に実行されている操作表示部および切替後に実行される操作表示部の両方において切替指令が入力された場合のみにおいて操作表示部の切替を行う、請求項１記載の貨幣処理機。
【請求項５】
貨幣の処理を行う貨幣処理部と、様々な指令を入力する指令入力機能および様々な情報を表示する表示機能を各々が有する複数の操作表示部と、を備えた貨幣処理機の貨幣処理方法であって、
前記複数の操作表示部のうちある操作表示部により切替指令を入力する工程と、
切替指令が入力されたときに、一の操作表示部において実行されている指令入力機能および表示機能を他の操作表示部において実行させるよう操作表示部の切替を行う工程と、
を備えた、貨幣処理方法。
【発明の詳細な説明】
【技術分野】
【０００１】
本発明は、貨幣の処理を行う貨幣処理機および貨幣処理方法に関する。
【背景技術】
【０００２】
銀行等の金融機関の営業店に設置されるオープン出納機として、硬貨の入出金処理を行う硬貨処理装置や紙幣の入出金処理を行う紙幣処理装置等の複数の貨幣処理装置が並んで配置されたものが用いられている（例えば、特許文献１等参照）。特許文献１に開示される出納機には、キーボード式操作部および表示部からなる操作表示部が例えばバラ硬貨処理装置の上方に設置されている。また、特許文献２には、複数の操作表示部が設けられた出納機（貨幣取引処理装置）が開示されている。
【先行技術文献】
【特許文献】
【０００３】
【特許文献１】特開２００９−２９４７０５号公報
【特許文献２】特開２００９−１４０４３０号公報
【発明の概要】
【発明が解決しようとする課題】
【０００４】
出納機に複数の操作表示部を設け、複数の操作者が一つの出納機を共用するような双頭運用を行う場合には、並んで配置された複数の貨幣処理装置上に各操作表示部を例えば左側と右側とに離して配置する。しかしながら、このような場合において、例えば左側に配置された操作表示部で操作者が操作を行っているときに、右側にある貨幣処理装置でエラーが発生すると、操作者は左側の操作表示部に表示されたガイダンスを見ながら右側にある貨幣処理装置のエラー解除を行わなければならず、操作性が悪いという問題がある。また、複数の貨幣処理装置のうちある一つの貨幣処理装置にのみ設けられた例えば指紋認証機等の特定の装置を使用したい場合、このような特定の装置と操作者が操作を行っている操作表示部とが離れていると、操作性が悪いという問題がある。
【０００５】
本発明は、このような点を考慮してなされたものであり、複数の操作表示部が貨幣処理機に設けられている場合において、状況に応じて操作者にとって使い易い操作表示部を選択して使用することができるようになり操作者にとっての操作性を向上させることができる貨幣処理機および貨幣処理方法を提供することを目的とする。
【課題を解決するための手段】
【０００６】
本発明の貨幣処理機は、貨幣の処理を行う貨幣処理部と、前記貨幣処理部の制御を行う制御部と、前記制御部に対して様々な指令を入力する指令入力機能および様々な情報を表示する表示機能を各々が有する複数の操作表示部と、を備え、前記制御部は、前記複数の操作表示部のうちある操作表示部により切替指令が入力されたときに、一の操作表示部において実行されている指令入力機能および表示機能を他の操作表示部において実行させるよう操作表示部の切替を行うことを特徴とする。
【０００７】
このような貨幣処理機によれば、複数の操作表示部のうちある操作表示部により切替指令を入力することにより、一の操作表示部において実行されている指令入力機能および表示機能が他の操作表示部において実行されるよう操作表示部の切替が行われるため、状況に応じて操作者にとって使い易い操作表示部を選択して使用することができるようになり操作者にとっての操作性を向上させることができる。
【０００８】
本発明の貨幣処理機においては、前記制御部は、切替指令が入力された操作表示部において実行されている指令入力機能および表示機能を、切替指令が入力された操作表示部以外の操作表示部において実行させるよう操作表示部の切替を行うようになっていてもよい。
【０００９】
あるいは、前記制御部は、前記複数の操作表示部のうちある操作表示部により切替指令が入力されたときに、切替指令が入力された操作表示部以外の操作表示部において実行されている指令入力機能および表示機能を、切替指令が入力された操作表示部において実行させるよう操作表示部の切替を行うようになっていてもよい。
【００１０】
あるいは、前記制御部は、切替前に実行されている操作表示部および切替後に実行される操作表示部の両方において切替指令が入力された場合のみにおいて操作表示部の切替を行うようになっていてもよい。
【００１１】
本発明の貨幣処理方法は、貨幣の処理を行う貨幣処理部と、様々な指令を入力する指令入力機能および様々な情報を表示する表示機能を各々が有する複数の操作表示部と、を備えた貨幣処理機の貨幣処理方法であって、前記複数の操作表示部のうちある操作表示部により切替指令を入力する工程と、切替指令が入力されたときに、一の操作表示部において実行されている指令入力機能および表示機能を他の操作表示部において実行させるよう操作表示部の切替を行う工程と、を備えている。
【００１２】
このような貨幣処理方法によれば、複数の操作表示部のうちある操作表示部により切替指令を入力することにより、一の操作表示部において実行されている指令入力機能および表示機能が他の操作表示部において実行されるよう操作表示部の切替が行われるため、状況に応じて操作者にとって使い易い操作表示部を選択して使用することができるようになり操作者にとっての操作性を向上させることができる。
【発明の効果】
【００１３】
本発明の貨幣処理機および貨幣処理方法によれば、複数の操作表示部が貨幣処理機に設けられている場合において、状況に応じて操作者にとって使い易い操作表示部を選択して使用することができるようになり操作者にとっての操作性を向上させることができる。
【図面の簡単な説明】
【００１４】
【図１】本発明の実施の形態による出納機の構成を示す斜視図である。
【図２】図１に示す出納機の機能ブロック図である。
【図３】（ａ）（ｂ）は、図１に示す出納機のバラ硬貨処理部に設けられた入金部ユニットの構成を示す側面図である。
【図４】図３に示す入金部ユニットを上方から見たときの上面図である。
【図５】図３に示す入金部ユニットにおける入金ホッパの構成の詳細を示す側面図である。
【図６】図１に示す出納機および貨幣管理装置（現金バス）からなる貨幣管理システムの構成を示す斜視図である。
【図７】図６に示す貨幣管理システムにおける操作内容を示すチャート図である。
【発明を実施するための形態】
【００１５】
以下、図面を参照して本発明の実施の形態について説明する。図１乃至図７は、本実施の形態による出納機およびこの出納機を備えた貨幣管理システムを示す図である。このうち、図１は、本実施の形態による出納機の構成を示す斜視図であり、図２は、図１に示す出納機の機能ブロック図である。また、図３（ａ）（ｂ）は、図１に示す出納機のバラ硬貨処理部に設けられた入金部ユニットの構成を示す側面図であり、図４は、図３に示す入金部ユニットを上方から見たときの上面図であり、図５は、図３に示す入金部ユニットにおける入金ホッパの構成の詳細を示す側面図である。また、図６は、図１に示す出納機および貨幣管理装置（現金バス）からなる貨幣管理システムの構成を示す斜視図であり、図７は、図６に示す貨幣管理システムの動作を示すチャート図である。
【００１６】
図１に示すように、本実施の形態の出納機１は、バラ硬貨の処理を行うバラ硬貨処理部１０と、包装硬貨の処理を行う包装硬貨処理部２０と、バラ紙幣の処理を行うバラ紙幣処理部３０と、帯封紙幣の処理を行う帯封紙幣処理部４０とを備えており、これらのバラ硬貨処理部１０、包装硬貨処理部２０、バラ紙幣処理部３０および帯封紙幣処理部４０は横方向に並ぶよう配置されている。また、図２に示すように、本実施の形態の出納機１には、これらのバラ硬貨処理部１０、包装硬貨処理部２０、バラ紙幣処理部３０および帯封紙幣処理部４０の制御を行う制御部６０が設けられている。
【００１７】
このような出納機１についてより詳細に説明すると、図１に示すように、バラ硬貨処理部１０には入金部ユニット１２が設けられており、この入金部ユニット１２の上面にはバラ硬貨入金口が設置されている。そして、このバラ硬貨入金口を介して入金ホッパ１２ｐに投入されたバラ硬貨はバラ硬貨処理部１０の機体内に繰り出され、当該バラ硬貨処理部１０の機体内にある識別部１２ｅ（図４参照、詳細については後述）によりその金種、真偽、正損等が識別された後、バラ硬貨処理部１０の機体内にある複数のバラ硬貨収納部（図示せず）に例えば金種毎に収納されるようになっている。また、バラ硬貨処理部１０の前面にはバラ硬貨出金口１４が設けられており、出納機１の制御部６０にバラ硬貨の出金指令が与えられたときに、バラ硬貨処理部１０の機体内にあるバラ硬貨収納部からバラ硬貨が繰り出されてバラ硬貨出金口１４に搬送されるようになっている。
【００１８】
ここで、バラ硬貨処理部１０に設けられた入金部ユニット１２の構成の詳細について図３乃至図５を用いて説明する。前述したように、図３（ａ）（ｂ）は、図１に示す出納機１のバラ硬貨処理部１０に設けられた入金部ユニット１２の構成を示す側面図であり、図４は、図３に示す入金部ユニット１２を上方から見たときの上面図であり、図５は、図３に示す入金部ユニット１２における入金ホッパ１２ｐの構成の詳細を示す側面図である。
【００１９】
図３に示すように、入金部ユニット１２の上部には上カバー１３が設けられており、この上カバー１３は軸１３ａを中心として上方に開くようになっている。図３（ａ）は、上カバー１３が入金部ユニット１２の上部を閉じているときの状態を示しており、図３（ｂ）は、上カバー１３が上方に開いて入金部ユニット１２の上部を開いたときの状態を示している。また、上カバー１３における入金部ユニット１２の入金ホッパ１２ｐに対応する位置には入金開口が設けられている。また、上カバー１３において当該入金開口にはこの入金開口の開閉を行うシャッタ１３ｂが設けられており、当該シャッタ１３ｂは図３（ａ）における左右方向に移動自在となっている。図３（ａ）に示すように上カバー１３が入金部ユニット１２の上部を閉じているときでも、この上カバー１３に設けられた入金開口をシャッタ１３ｂが開いているときには、操作者は当該入金開口を介して入金ホッパ１２ｐに硬貨を投入することができるようになっている。また、上カバー１３には上カバーロック機構１３ｃが設けられており、この上カバーロック機構１３ｃにより上カバー１３がロックされているときには当該上カバー１３は入金部ユニット１２の上部から上方に開くことができないようになっている。
【００２０】
また、本実施の形態では、バラ硬貨処理部１０の機体から入金部ユニット１２を手前側に引き出すことができるようになっている。ここで、図３に示すように、入金部ユニット１２には入金部ユニットロック機構１２ｓが設けられており、この入金部ユニットロック機構１２ｓにより入金部ユニット１２がロックされているときにはバラ硬貨処理部１０の機体から入金部ユニット１２を手前側に引き出すことができないようになっている。
【００２１】
図３乃至図５に示すように、入金部ユニット１２の入金ホッパ１２ｐの下部には第１の回転盤１２ａが設けられており、この第１の回転盤１２ａに隣接して第２の回転盤１２ｂが設置されている。ここで、図４の二点鎖線に示すように、入金ホッパ１２ｐに投入された硬貨は２０〜３０枚ずつ第１の回転盤１２ａから第２の回転盤１２ｂに繰り出されるようになっている。また、第２の回転盤１２ｂから硬貨が１枚ずつ硬貨放出口１２ｃを介して搬送路１２ｄに繰り出されるようになっており、搬送路１２ｄにおいて硬貨は１枚ずつ図４の二点鎖線の矢印方向に沿って搬送されるようになっている。図４に示すように搬送路１２ｄの途中箇所には識別部１２ｅが設けられており、搬送路１２ｄに沿って搬送される硬貨はこの識別部１２ｅによってその金種、真偽、正損等が識別されるようになっている。
【００２２】
また、図４に示すように、硬貨の搬送方向における識別部１２ｅの下流側において、リジェクト硬貨用開口１２ｆ、予備開口１２ｇ、５円硬貨用開口１２ｈが搬送路１２ｄに沿って順に配置されている。また、これらの開口１２ｆ、１２ｇ、１２ｈに対応して複数のローラ１２ｉが設置されており、各ローラ１２ｉが図４に示す位置から上方に移動すると、搬送路１２ｄに沿って搬送されている硬貨が各開口１２ｆ、１２ｇ、１２ｈに入るようになっている。また、硬貨の搬送方向における５円硬貨用開口１２ｈの下流側において、１円硬貨用開口１２ｊ、５０円硬貨用開口１２ｋ、１００円硬貨用開口１２ｌ、１０円硬貨用開口１２ｍ、５００円硬貨用開口１２ｎが搬送路１２ｄに沿って順に配置されている。これらの開口１２ｊ、１２ｋ、１２ｌ、１２ｍ、１２ｎは、対応する硬貨が入るような形状や大きさとなっており、搬送路１２ｄに沿って搬送される硬貨は、その金種に対応する開口１２ｊ、１２ｋ、１２ｌ、１２ｍ、１２ｎに入るようになっている。また、バラ硬貨処理部１０において、各開口１２ｈ、１２ｊ、１２ｋ、１２ｌ、１２ｍ、１２ｎの下方にはそれぞれ対応するバラ硬貨収納部（図示せず）が設けられており、各開口１２ｈ、１２ｊ、１２ｋ、１２ｌ、１２ｍ、１２ｎに入った硬貨は、対応する金種のバラ硬貨収納部に収納されるようになっている。
【００２３】
また、図５に示すように、第１の回転盤１２ａの軸を保護し、投入された硬貨を周囲へ追いやるためのキャップ１２ｑが第１の回転盤１２ａ上に設置されている。また、入金ホッパ１２ｐの上部部分には硬貨フルセンサ１２ｒが設けられている。硬貨フルセンサ１２ｒは発光素子および受光素子を有しており、これらの発光素子と受光素子との間に硬貨が存在しない場合には、発光素子から発せられた光は図５における二点鎖線の光軸に沿って進み受光素子により受けられるようになっている。一方、入金ホッパ１２ｐにおいて硬貨フルの状態となり、発光素子と受光素子との間にある光軸に硬貨が存在する場合には、発光素子から発せられた光は当該硬貨により遮られて受光素子に到達しないようになり、このことにより硬貨フルセンサ１２ｒは入金ホッパ１２ｐにおいて硬貨フル状態であることを検出する。
【００２４】
また、図１に示すように、バラ硬貨処理部１０の左隣には包装硬貨処理部２０が設置されており、バラ硬貨処理部１０から包装硬貨処理部２０にバラ硬貨が送られるようになっている。包装硬貨処理部２０において、バラ硬貨処理部１０から送られたバラ硬貨は包装部（図示せず）において例えば５０枚単位で包装紙等により棒状となるよう包装され、この包装された包装硬貨は当該包装硬貨処理部２０の機体内にある複数の包装硬貨収納部に例えば金種毎に収納されるようになっている。また、包装硬貨処理部２０の前面上部には包装硬貨出金口２２が設けられており、出納機１の制御部６０に包装硬貨の出金指令が与えられたときに、包装硬貨処理部２０の機体内にある包装硬貨収納部から包装硬貨が繰り出されて包装硬貨出金口２２に搬送されるようになっている。
【００２５】
また、図１に示すように、包装硬貨処理部２０の左隣にはバラ紙幣処理部３０が設置されており、このバラ紙幣処理部３０の前面上部にはバラ紙幣をバラ紙幣処理部３０の機体内に投入するためのバラ紙幣入金口３２が設けられているとともに、バラ紙幣処理部３０の上面にはバラ紙幣を機体外に投出するためのバラ紙幣出金口３４が設けられている。バラ紙幣入金口３２に投入されたバラ紙幣はバラ紙幣処理部３０の機体内にある識別部（図示せず）によりその金種、真偽、正損等が識別された後、バラ紙幣処理部３０の機体内にある複数のバラ紙幣収納部（図示せず）に例えば金種毎に収納されるようになっている。また、出納機１の制御部６０にバラ紙幣の出金指令が与えられたときに、バラ紙幣処理部３０の機体内にあるバラ紙幣収納部からバラ紙幣が繰り出されてバラ紙幣出金口３４に搬送されるようになっている。
【００２６】
また、バラ紙幣処理部３０の左隣には帯封紙幣処理部４０が設置されており、バラ紙幣処理部３０から帯封紙幣処理部４０にバラ紙幣が送られるようになっている。帯封紙幣処理部４０において、バラ紙幣処理部３０から送られたバラ紙幣は帯封部（図示せず）において例えば１００枚単位で帯封紙等により帯封され、この帯封された帯封紙幣は当該帯封紙幣処理部４０の機体内にある複数の帯封紙幣収納部に例えば金種毎に収納されるようになっている。また、帯封紙幣処理部４０の前面上部には帯封紙幣出金口４２が設けられており、出納機１の制御部６０に帯封紙幣の出金指令が与えられたときに、帯封紙幣処理部４０の機体内にある帯封紙幣収納部から帯封紙幣が繰り出されて帯封紙幣出金口４２に搬送されるようになっている。
【００２７】
なお、本実施の形態の出納機１では、これらのバラ硬貨処理部１０、包装硬貨処理部２０、バラ紙幣処理部３０および帯封紙幣処理部４０に加えて、例えば小切手や商品券等の現金以外の有価媒体の処理を行う有価媒体処理部が並設されていてもよい。具体的には、このような有価媒体処理部が例えば包装硬貨処理部２０とバラ紙幣処理部３０との間に設けられていてもよい。また、本実施の形態の出納機１において、バラ硬貨処理部１０、包装硬貨処理部２０、バラ紙幣処理部３０および帯封紙幣処理部４０のうち一部の処理部の設置が省略されるようになっていてもよい。
【００２８】
また、図１および図２に示すように、帯封紙幣処理部４０の上面には例えばモニタからなる第１の表示部７０が設けられているとともに、バラ硬貨処理部１０の上面にも例えばモニタからなる第２の表示部８０が設けられている。また、帯封紙幣処理部４０の上面における第１の表示部７０の近傍には第１のキーボード７２、第１のカードリーダ７４および第１のプリンタ７６がそれぞれ設けられており（図１では図示せず）、これらの第１の表示部７０、第１のキーボード７２、第１のカードリーダ７４および第１のプリンタ７６により第１の操作表示部７８が構成されている。また、バラ硬貨処理部１０の上面における第２の表示部８０の近傍には第２のキーボード８２、第２のカードリーダ８４および第２のプリンタ８６がそれぞれ設けられており（図１では図示せず）、これらの第２の表示部８０、第２のキーボード８２、第２のカードリーダ８４および第２のプリンタ８６により第２の操作表示部８８が構成されている。ここで、第１の表示部７０および第２の表示部８０は、各々、出納機１の各処理部１０、２０、３０、４０における貨幣の処理状況、ならびにこれらの各処理部１０、２０、３０、４０に収納された貨幣の金種毎の枚数や合計金額等の情報を表示するようになっている。また、第１のキーボード７２および第２のキーボード８２により、各々、操作者は制御部６０に対して様々な指令を入力することができるようになっている。また、第１のカードリーダ７４および第２のカードリーダ８４は、各々、操作者が携帯するＩＤカード等の読み取りを行うようになっている。また、第１のプリンタ７６および第２のプリンタ８６は、各々、各処理部１０、２０、３０、４０に収納された貨幣の金種毎の枚数や合計金額等の情報の印字を行うようになっている。
【００２９】
このように、第１の操作表示部７８および第２の操作表示部８８はそれぞれ、制御部６０に対して様々な指令を入力する指令入力機能および様々な情報を表示する表示機能を有するようになっている。より具体的には、第１のキーボード７２および第１のカードリーダ７４、ならびに第２のキーボード８２および第２のカードリーダ８４は、各々、制御部６０に対して様々な指令を入力する指令入力機能を果たすようになっており、また、第１の表示部７０および第２の表示部８０は、各々、様々な情報を表示する表示機能を果たすようになっている。そして、本実施の形態の出納機１では、図１に示すように、各処理部１０、２０、３０、４０上で複数（具体的には２つ）の操作表示部７８、８８が左側と右側とに離して配置されているため、複数の操作者が一つの出納機１を共用するような双頭運用を行うことができるようになる。
【００３０】
なお、第１の表示部７０および第２の表示部８０は、例えばタッチパネルから構成されていてもよい。この場合には、第１の表示部７０および第２の表示部８０は、各々、様々な情報の表示を行うことができるとともに、操作者はこれらの第１の表示部７０および第２の表示部８０により制御部６０に対して様々な指令を入力することができるようになる。この場合には、第１の表示部７０や第２の表示部８０はそれぞれ単体で、制御部６０に対して様々な指令を入力する指令入力機能および様々な情報を表示する表示機能を有するようになる。
【００３１】
また、図２に示すように、出納機１の制御部６０には記憶部６２、通信部６４がそれぞれ接続されている。記憶部６２は、出納機１の各処理部１０、２０、３０、４０における貨幣の処理状況や、各処理部１０、２０、３０、４０に収納された貨幣の金種毎の枚数や合計金額等の情報を記憶するようになっている。また、制御部６０は通信部６４を介して外部装置に対して様々な信号の送受信を行うことができるようになっている。
【００３２】
また、図１に示すように、バラ硬貨処理部１０の上面には指紋認証機５０が設置されており、この指紋認証機５０により操作者の権限の認証が行われるようになっている。
【００３３】
本実施の形態の出納機１では、制御部６０は、複数の操作表示部７８、８８のうちある操作表示部により切替指令が入力されたときに、一の操作表示部において実行されている指令入力機能および表示機能を他の操作表示部において実行させるよう操作表示部の切替を行うようになっている。より具体的に説明すると、例えばある操作者が第１の操作表示部７８で操作を行っているときに、４つの処理部１０、２０、３０、４０のうち最も右側にあるバラ硬貨処理部１０で故障等のエラーが発生すると、この第１の操作表示部７８の第１の表示部７０にはエラー解除のためのガイダンスが表示される。この際に、第１の表示部７０およびバラ硬貨処理部１０は離れているため、第１の操作表示部７８の操作を行っている操作者は、第１のキーボード７２により操作表示部の切替指令を入力する。そうすると、制御部６０において、第１の操作表示部７８において実行されている指令入力機能および表示機能を第２の操作表示部８８において実行させるよう、操作表示部の切替が行われる。具体的には、第２の操作表示部８８の第２の表示部８０に、エラー解除のためのガイダンスが表示されるようになり、また、操作者は、第２の操作表示部８８の第２のキーボード８２や第２のカードリーダ８４により制御部６０に対して様々な指令を入力することができるようになる。このように、第１の操作表示部７８において実行されている指令入力機能および表示機能が第２の操作表示部８８において実行されるよう操作表示部の切替が行われると、エラーが発生している処理部（具体的には、例えばバラ硬貨処理部１０）と、第２の操作表示部８８の第２の表示部８０との距離を小さくすることができるため、操作者が表示部（具体的には、第２の表示部８０）に表示されるガイダンスを見ながらバラ硬貨処理部１０のエラー解除を行うにあたり操作者にとっての操作性を向上させることができる。
【００３４】
具体例を挙げてより詳細に説明すると、例えばある操作者が第１の操作表示部７８で操作を行っているときに、４つの処理部１０、２０、３０、４０のうち最も右側にあるバラ硬貨処理部１０の入金部ユニット１２における硬貨放出口１２ｃで硬貨が詰まってしまった場合には、この第１の操作表示部７８の第１の表示部７０にはエラー解除のためのガイダンスが表示される。この際に、第１の表示部７０およびバラ硬貨処理部１０は離れているため、第１の操作表示部７８の操作を行っている操作者は、第１のキーボード７２により操作表示部の切替指令を入力する。そうすると、制御部６０において、第１の操作表示部７８において実行されている指令入力機能および表示機能を第２の操作表示部８８において実行させるよう、操作表示部の切替が行われる。具体的には、第２の操作表示部８８の第２の表示部８０に、エラー解除のためのガイダンスが表示されるようになり、また、操作者は、第２の操作表示部８８の第２のキーボード８２や第２のカードリーダ８４により制御部６０に対して様々な指令を入力することができるようになる。なお、入金部ユニット１２における第２の回転盤１２ｂや硬貨放出口１２ｃは上カバー１３により覆われているため操作者は硬貨放出口１２ｃを直接見ることができない。このため、従来技術では、硬貨放出口１２ｃに硬貨が詰まっていることに操作者が気づかずに、大量の硬貨を入金ホッパ１２ｐに投入した場合には、この入金ホッパ１２ｐから硬貨が減らないことにより操作者は初めて入金部ユニット１２内で硬貨の詰まりが発生していることに気づく。しかしながら、この際に、操作者はエラー解除のために慌ててバラ硬貨処理部１０の機体から入金部ユニット１２を手前側に引き出して上カバー１３を開ける可能性があり、この場合には硬貨が入金ホッパ１２ｐの周囲からこぼれてしまい違算が発生してしまうおそれがある。
【００３５】
これに対し、本実施の形態では、硬貨フルセンサ１２ｒにより入金ホッパ１２ｐにおいて硬貨フル状態となっていることが検出されたときに、入金部ユニットロック機構１２ｓが入金部ユニット１２のロックを行いこの入金部ユニット１２をバラ硬貨処理部１０の機体から手前側に引き出すことができないようになっている。あるいは、硬貨フルセンサ１２ｒにより入金ホッパ１２ｐにおいて硬貨フル状態となっていることが検出されたときに、入金部ユニット１２をバラ硬貨処理部１０の機体から手前側に引き出せたとしても、上カバーロック機構１３ｃにより上カバー１３のロックを行いこの上カバー１３を入金部ユニット１２から上方に開くことができないようになっている。また、硬貨フルセンサ１２ｒにより入金ホッパ１２ｐにおいて硬貨フル状態となっていることが検出されたときに、第２の操作表示部８８の第２の表示部８０に、エラー解除のためのガイダンスとして、シャッタ１３ｂを移動させて上カバー１３に設けられた入金開口を開け、入金ホッパ１２ｐ内の硬貨を手動で取り出すような指示画面が表示される。そして、入金ホッパ１２ｐにおいて硬貨フル状態が解除されたことが硬貨フルセンサ１２ｒにより検知された場合には、すなわち硬貨フルセンサ１２ｒにおいて発光素子から発せられた光が受光素子により受けられるようになった場合には、入金部ユニットロック機構１２ｓによる入金部ユニット１２のロックが解除されこの入金部ユニット１２をバラ硬貨処理部１０の機体から手前側に引き出すことができるようになったり、あるいは上カバーロック機構１３ｃによる上カバー１３のロックが解除されこの上カバー１３を入金部ユニット１２から上方に開くことができるようになったりし、このことにより操作者は硬貨放出口１２ｃに詰まっている硬貨を取り除くことができるようになる。このような態様とすることにより、操作者がバラ硬貨処理部１０のエラー解除を行う際に硬貨が入金ホッパ１２ｐの周囲からこぼれてしまい違算が発生してしまうというトラブルを防止することができるようになる。
【００３６】
また、本実施の形態では、入金ホッパ１２ｐにおいて硬貨フル状態が解除されたことが硬貨フルセンサ１２ｒにより検知された場合でも、上カバー１３に設けられた入金開口をシャッタ１３ｂが開いているときには、入金部ユニットロック機構１２ｓによる入金部ユニット１２のロックが解除されずにこの入金部ユニット１２をバラ硬貨処理部１０の機体から手前側に引き出すことができないようになっていてもよい。あるいは、入金部ユニット１２をバラ硬貨処理部１０の機体から手前側に引き出せたとしても、上カバーロック機構１３ｃによる上カバー１３のロックが解除されずにこの上カバー１３を入金部ユニット１２から上方に開くことができないようになっていてもよい。そして、入金ホッパ１２ｐにおいて硬貨フル状態が解除されたことが硬貨フルセンサ１２ｒにより検知された後、シャッタ１３ｂにより上カバー１３に設けられた入金開口が閉じられた場合に、入金部ユニットロック機構１２ｓによる入金部ユニット１２のロックが解除されこの入金部ユニット１２をバラ硬貨処理部１０の機体から手前側に引き出すことができるようになったり、あるいは上カバーロック機構１３ｃによる上カバー１３のロックが解除されこの上カバー１３を入金部ユニット１２から上方に開くことができるようになったりし、このことにより操作者は硬貨放出口１２ｃに詰まっている硬貨を取り除くことができるようになっていてもよい。このような態様でも、操作者がバラ硬貨処理部１０のエラー解除を行う際に硬貨が入金ホッパ１２ｐの周囲からこぼれてしまい違算が発生してしまうというトラブルを防止することができるようになる。
【００３７】
また、例えば、ある操作者が第１の操作表示部７８でバラ硬貨処理部１０におけるバラ硬貨の入金処理の操作を行い、同時に別の操作者が第２の操作表示部８８で帯封紙幣処理部４０における帯封紙幣作成処理の操作を行っているときに、バラ硬貨処理部１０で故障等のエラーが発生したことにより、第１の操作表示部７８の操作を行っている操作者が第１のキーボード７２により操作表示部の切替指令を入力すると、第２の操作表示部８８の第２の表示部８０において、帯封紙幣処理部４０における帯封紙幣作成処理の操作画面の上にバラ硬貨処理部１０のエラー解除のためのガイダンス画面が表示されるようになり、帯封紙幣作成処理の操作画面はエラー解除のためのガイダンス画面の裏に隠れるようになる。なお、この場合でも、第２の操作表示部８８の第２のキーボード８２による操作により、帯封紙幣作成処理の操作画面をエラー解除のためのガイダンス画面よりも前面に表示させることができるようになっている。
【００３８】
また、図１に示すように、指紋認証機５０はバラ硬貨処理部１０の上面に設置されているが、例えばある操作者が第１の操作表示部７８で操作を行っているときに、この指紋認証機５０で指紋の認証を行いたい場合には、この第１の操作表示部７８および指紋認証機５０は離れているため、第１の操作表示部７８の操作を行っている操作者は、第１のキーボード７２により操作表示部の切替指令を入力する。そうすると、制御部６０において、第１の操作表示部７８において実行されている指令入力機能および表示機能を第２の操作表示部８８において実行させるよう、操作表示部の切替が行われる。このように、第１の操作表示部７８において実行されている指令入力機能および表示機能が第２の操作表示部８８において実行されるよう操作表示部の切替が行われると、指紋認証機５０と、指令入力機能や表示機能が実行される操作表示部との距離を小さくすることができるため、操作者が指紋認証機５０により指紋の認証を行うにあたり操作者にとっての操作性を向上させることができる。
【００３９】
なお、一の操作表示部において実行されている指令入力機能および表示機能を他の操作表示部において実行させるような操作表示部の切替は、切替元の操作表示部による切替指令の入力、または切替先の操作表示部による切替指令の入力のどちらでも行うことができるようになっている。すなわち、例えば第１の操作表示部７８において実行されている指令入力機能および表示機能を第２の操作表示部８８において実行させるよう、操作表示部の切替を行うにあたり、第１の操作表示部７８の第１のキーボード７２により切替指令を行っても、あるいは第２の操作表示部８８の第２のキーボード８２により切替指令を行っても、操作表示部の切替が行われるようになる。このことにより、例えば操作者が第１の操作表示部７８で操作を行っているときに、この第１の操作表示部７８の第１のキーボード７２が故障してしまい制御部６０に対して指令の入力を行うことができなくなってしまった場合でも、この操作者は第２の操作表示部８８の第２のキーボード８２により切替指令を行うことにより、第１の操作表示部７８において実行されている指令入力機能および表示機能を第２の操作表示部８８において実行させるようにすることができる。
【００４０】
また、本実施の形態の出納機１における他の例では、制御部６０は、切替前に実行されている操作表示部（具体的には、例えば第１の操作表示部７８）および切替後に実行される操作表示部（具体的には、例えば第２の操作表示部８８）の両方において切替指令が入力された場合のみにおいて操作表示部の切替を行うようになっていてもよい。この場合には、第１の操作表示部７８および第２の操作表示部８８が異なる操作者により使用されているときに、それぞれの操作表示部７８、８８を操作する２人の操作者の合意がある場合にのみ操作表示部の切替が行われるため、例えば第１の操作表示部７８の第１の表示部７０における表示内容が第２の操作表示部８８の第２の表示部８０に表示されるようになったときに、この第２の操作表示部８８を操作している操作者は第２の表示部８０の画面の切替にも驚かないようになる。
【００４１】
また、セキュリティ性を向上させるために、操作表示部の切替を行う際に、切替元や切替先の操作表示部による切替指令の入力に加えて、制御部６０において操作者の権限の認証を要するようになっていてもよい。このような操作者の権限の認証は、例えば操作者が携帯するＩＤカードを第１のカードリーダ７４や第２のカードリーダ８４によって読み取らせることにより、あるいは第１のキーボード７２や第２のキーボード８２によって操作者ＩＤおよび暗証番号を入力することにより行われるようになっている。
【００４２】
図６は、本実施の形態の出納機１および貨幣の管理を行う貨幣管理装置１０１を備えた貨幣管理システムの構成を示す斜視図である。貨幣管理装置１０１は現金バスとも呼ばれ、１万円紙幣を収納保管する第１の紙幣収納ドロア１１０と、その他の金種の紙幣を収納保管する第２の紙幣収納ドロア１１２と、１００円硬貨、１０円硬貨および１円硬貨を収納保管する第１の硬貨収納ドロア１１４と、５００円硬貨、５０円硬貨および５円硬貨を収納保管する第２の硬貨収納ドロア１１６と、例えば小切手や商品券等の現金以外の有価媒体等を投入することができる予備収納ドロア１１８と、を有している。また、この貨幣管理装置１０１の上面には、様々な情報を表示するための表示部１２０、操作者が様々な指令を入力するためのキーボード１２２、および操作者が携帯するＩＤカード等の読み取りを行うカードリーダ１２４がそれぞれ設けられている。図６に示すように、出納機１および貨幣管理装置１０１は有線ＬＡＮや無線ＬＡＮにより通信可能に接続されており、出納機１の制御部６０は通信部６４により貨幣管理装置１０１に対して信号の送受信を行うことができるようになっている。
【００４３】
図６に示すような貨幣管理システムにおいて、出納機１が貨幣管理本体機（貨幣処理本体機）として機能し、貨幣管理装置１０１が貨幣管理端末機（貨幣処理端末機）として機能するようになっている。すなわち、出納機１および貨幣管理装置１０１は、それぞれ、上位の貨幣管理装置（上位の貨幣処理装置）および下位の貨幣管理装置（下位の貨幣処理装置）として用いられるようになる。また、１台の出納機１に対して複数台の貨幣管理装置１０１が通信可能に接続されていてもよい。
【００４４】
このような貨幣管理システムにおける操作内容を図７のチャート図に示す。出納機１および貨幣管理装置１０１の連携運用が行われる場合には、出納機１の操作表示部（具体的には、例えば第１の操作表示部７８）により、貨幣管理装置１０１における各ドロア１１０、１１２、１１４、１１６、１１８の開閉等の操作を行うことができるようになっている。
【００４５】
出納機１および貨幣管理装置１０１の連携運用についてより詳細に説明すると、待機状態において貨幣管理装置１０１は連携番号の入力待ちの状態にある。そして、貨幣管理装置１０１における貨幣の入出金操作を行う操作者が出納機１において第１の操作表示部７８の第１のカードリーダ７４に当該操作者のＩＤカードを読み取らせると、この操作者に許可された選択可能な処理が第１の操作表示部７８の第１の表示部７０に一覧表示されるので、当該操作者はその中から実行しようとする入出金操作（すなわち、貨幣管理装置１０１における各ドロア１１０、１１２、１１４、１１６、１１８の開閉等の操作）を第１のキーボード７２により選択して入力し、次に、当該操作に必要な暗証番号を入力する（操作者によるこれらの一連の入力は図７における第１の操作表示部７８での「取引指定入力」に該当）。すると、その入出金操作についての連係情報が作成されて連携番号が付され、当該連係情報は連携番号とともに出納機１の記憶部６２に記憶され、当該連携情報に含まれる入出金操作の実施が可能な状態となる。この際に、出納機１は通信部６４により貨幣管理装置１０１に対して連携番号を送信する。また、出納機１の第１の操作表示部７８により、出納機１と貨幣管理装置１０１との間の連携番号が操作者に報知される。より詳細には、このような連携番号は例えば第１の表示部７０に表示されたり、あるいは第１のプリンタ７６により印字されたりする。
【００４６】
また、貨幣管理装置１０１が連携番号の入力待ちの状態にあるときに、この貨幣管理装置１０１のキーボード１２２の操作によって表示部１２０に連携処理メニューを表示させることができるようになる。連携処理メニューでは、貨幣管理装置１０１を単独で使用するか、あるいは出納機１および貨幣管理装置１０１の連携運用を行うかの選択を行うことができるようになっている。第１の操作表示部７８を操作している操作者が連携処理メニューにおいて出納機１および貨幣管理装置１０１の連携運用を行うことを選択し、その後、貨幣管理装置１０１のキーボード１２２により連携番号を入力すると、操作者により入力された連携番号と出納機１から貨幣管理装置１０１に送信された連携番号とが一致する場合には、貨幣管理装置１０１から出納機１の制御部６０に対して取引データ取得の要求信号が送信される。取引データ取得の要求信号を受信した出納機１の制御部６０は、操作者によって第１の操作表示部７８により入力された入出金操作の内容である取引データ（具体的には、例えばどのドロア１１０、１１２、１１４、１１６、１１８から貨幣等の入出金を行うかというデータ）を通信部６４により貨幣管理装置１０１に送信する。そして、第１の操作表示部７８により出納機１に入力された取引データを受信した貨幣管理装置１０１において、当該取引データに係るドロア１１０、１１２、１１４、１１６、１１８が開かれ、操作者はこの開かれたドロア１１０、１１２、１１４、１１６、１１８において貨幣の入出金操作を行うことができるようになる。その後、操作者が貨幣管理装置１０１においてドロア１１０、１１２、１１４、１１６、１１８を閉じると、第１の操作表示部７８の操作による出納機１および貨幣管理装置１０１の連携運用が終了する。
【００４７】
また、本実施の形態では、ある操作者が第１の操作表示部７８を操作して出納機１および貨幣管理装置１０１の連携運用を行っている間に、別の操作者が第２の操作表示部８８を操作して貨幣管理装置１０１における次の処理を予約しておくことができるようになっている。より詳細には、ある操作者が第１の操作表示部７８を操作して出納機１および貨幣管理装置１０１の連携運用を行っている間に（すなわち、図７において第１の操作表示部７８での「取引指定入力」から「処理終了」までの間に）、別の操作者が出納機１において第２の操作表示部８８の第２のカードリーダ８４に当該操作者のＩＤカードを読み取らせると、この操作者に許可された選択可能な処理が第２の操作表示部８８の第２の表示部８０に一覧表示されるので、当該操作者はその中から実行しようとする入出金操作（すなわち、貨幣管理装置１０１における各ドロア１１０、１１２、１１４、１１６、１１８の開閉等の操作）を第２のキーボード８２により選択して入力し、次に、当該操作に必要な暗証番号を入力する（操作者によるこれらの一連の入力は図７における第２の操作表示部８８での「取引指定入力」に該当）。すると、その入出金操作についての連係情報が作成されて連携番号が付され、当該連係情報は連携番号とともに出納機１の記憶部６２に記憶され、当該連携情報に含まれる入出金操作の予約が行われるようになる。この際に、出納機１は通信部６４により貨幣管理装置１０１に対して連携番号を送信する。また、出納機１の第２の操作表示部８８により、出納機１と貨幣管理装置１０１との間の連携番号が操作者に報知される。より詳細には、このような連携番号は例えば第２の表示部８０に表示されたり、あるいは第２のプリンタ８６により印字されたりする。
【００４８】
そして、第１の操作表示部７８の操作による出納機１および貨幣管理装置１０１の連携運用が終了すると、貨幣管理装置１０１は連携番号の入力待ちの状態となる。このときに、この貨幣管理装置１０１のキーボード１２２の操作によって表示部１２０に前述した連携処理メニューを表示させることができるようになる。そして、第２の操作表示部８８を操作している操作者が連携処理メニューにおいて出納機１および貨幣管理装置１０１の連携運用を行うことを選択し、その後、貨幣管理装置１０１のキーボード１２２により連携番号を入力すると、操作者により入力された連携番号と出納機１から貨幣管理装置１０１に送信された連携番号とが一致する場合には、貨幣管理装置１０１から出納機１の制御部６０に対して取引データ取得の要求信号が送信される。取引データ取得の要求信号を受信した出納機１の制御部６０は、操作者によって第２の操作表示部８８により入力された入出金操作の内容である取引データ（具体的には、例えばどのドロア１１０、１１２、１１４、１１６、１１８から貨幣等の入出金を行うかというデータ）を通信部６４により貨幣管理装置１０１に送信する。そして、第２の操作表示部８８により出納機１に入力された取引データを受信した貨幣管理装置１０１において、当該取引データに係るドロア１１０、１１２、１１４、１１６、１１８が開かれ、操作者はこの開かれたドロア１１０、１１２、１１４、１１６、１１８において貨幣の入出金操作を行うことができるようになる。その後、操作者が貨幣管理装置１０１においてドロア１１０、１１２、１１４、１１６、１１８を閉じると、第２の操作表示部８８の操作による出納機１および貨幣管理装置１０１の連携運用が終了する。
【００４９】
このように、図６に示すような貨幣管理システムにおいて図７のチャート図に示すような操作を行うことができるようになっていることにより、出納機１において双頭運用を行っている場合において、第１の操作表示部７８が貨幣管理装置１０１の占有を行っている間に第２の操作表示部８８で貨幣管理装置１０１の操作を行いたいときでも、第２の操作表示部８８の操作により貨幣管理装置１０１における次の処理を予約しておくことができるため、出納機１および貨幣管理装置１０１の連携運用を行う場合での双頭運用における操作性を向上させることができる。
【００５０】
以上のような構成からなる本実施の形態の出納機１およびこのような出納機１による貨幣処理方法によれば、制御部６０に対して様々な指令を入力する指令入力機能および様々な情報を表示する表示機能を各々が有する複数の操作表示部（具体的には、第１の操作表示部７８および第２の操作表示部８８）が設けられており、制御部６０は、複数の操作表示部のうちある操作表示部により切替指令が入力されたときに、一の操作表示部において実行されている指令入力機能および表示機能を他の操作表示部において実行させるよう操作表示部の切替を行うようになっている。このように、一の操作表示部において実行されている指令入力機能および表示機能が他の操作表示部において実行されるよう操作表示部の切替を行うことにより、状況に応じて操作者にとって使い易い操作表示部を用いることができるようになるため操作者にとっての操作性を向上させることができる。例えば、出納機１において左側に配置された第１の操作表示部７８で操作者が操作を行っているときに、右側にあるバラ硬貨処理部１０で故障等によるエラーが発生すると、第１の操作表示部７８において実行されている指令入力機能および表示機能を、出納機１において右側に配置された第２の操作表示部８８において実行させるよう操作表示部の切替を行うことにより、この第２の操作表示部８８の第２の表示部８０とバラ硬貨処理部１０との距離は小さいため操作者にとってバラ硬貨処理部１０のエラー解除の操作がしやすくなる。また、出納機１において左側に配置された第１の操作表示部７８で操作者が操作を行っているときに、右側にある指紋認証機５０の操作を行いたい場合に、第１の操作表示部７８において実行されている指令入力機能および表示機能を、出納機１において右側に配置された第２の操作表示部８８において実行させるよう操作表示部の切替を行うことにより、この第２の操作表示部８８と指紋認証機５０との距離は小さいため操作者にとって指紋認証機５０の操作を容易に行うことができるようになる。
【００５１】
また、本実施の形態の出納機１においては、制御部６０は、切替指令が入力された操作表示部において実行されている指令入力機能および表示機能を、切替指令が入力された操作表示部以外の操作表示部において実行させるよう操作表示部の切替を行うようになっている。すなわち、切替元の操作表示部において切替指令を入力することにより操作表示部の切替を行うようになっている。また、本実施の形態の出納機１においては、制御部６０は、複数の操作表示部のうちある操作表示部により切替指令が入力されたときに、切替指令が入力された操作表示部以外の操作表示部において実行されている指令入力機能および表示機能を、切替指令が入力された操作表示部において実行させるよう操作表示部の切替を行うようになっている。すなわち、切替先の操作表示部において切替指令を入力することにより操作表示部の切替を行うようになっている。
【００５２】
また、前述したように、本実施の形態の出納機１においては、制御部６０は、切替前の操作表示部および切替後の操作表示部の両方において切替指令が入力された場合のみにおいて操作表示部の切替を行うようになっていてもよい。この場合には、切替前の操作表示部を操作する操作者および切替後の操作表示部を操作する操作者の合意がある場合にのみ操作表示部の切替が行われるため、例えば第１の操作表示部７８の第１の表示部７０における表示内容が第２の操作表示部８８の第２の表示部８０に表示されるようになったときに、この第２の操作表示部８８を操作している操作者は第２の表示部８０の画面の切替にも驚かないようになる。
【００５３】
なお、本実施の形態による出納機１は、上述したような態様に限定されることはなく、様々な変更を加えることができる。
【００５４】
例えば、出納機１において２つの操作表示部が設けられている代わりに、１つの操作表示部が設けられるとともに操作者が携帯する携帯情報端末（例えば、スマートフォンやｉ−ｐａｄ（商標登録）、タブレットＰＣ等）により制御部６０に対して様々な指令を入力したりこの携帯情報端末に様々な情報を表示させたりするようになっていてもよい。この場合には、このような携帯情報端末が、制御部６０に対して様々な指令を入力する指令入力機能および様々な情報を表示する表示機能を有するようになる。このような出納機１では、この出納機１に設けられた操作表示部のキーボードまたは操作者が携帯している携帯情報端末により切替指令が入力されたときに、出納機１に設けられた操作表示部において実行されている指令入力機能および表示機能を携帯情報端末において実行したり、あるいは携帯情報端末において実行されている指令入力機能および表示機能を出納機１に設けられた操作表示部において実行したりすることができるようになる。
【００５５】
また、図１等に示す例では、出納機１において２つの操作表示部が設けられているような態様について説明したが、このような例に限定されることはない。出納機１において３つ以上の操作表示部が設けられているような場合にも本発明を適用することができる。
【符号の説明】
【００５６】
１  出納機
１０  バラ硬貨処理部
１２  入金部ユニット
１２ａ  第１の回転盤
１２ｂ  第２の回転盤
１２ｃ  硬貨放出口
１２ｄ  搬送路
１２ｅ  識別部
１２ｆ  リジェクト硬貨用開口
１２ｇ  予備開口
１２ｈ  ５円硬貨用開口
１２ｉ  ローラ
１２ｊ  １円硬貨用開口
１２ｋ  ５０円硬貨用開口
１２ｌ  １００円硬貨用開口
１２ｍ  １０円硬貨用開口
１２ｎ  ５００円硬貨用開口
１２ｐ  入金ホッパ
１２ｑ  キャップ
１２ｒ  硬貨フルセンサ
１２ｓ  入金部ユニットロック機構
１３  上カバー
１３ａ  軸
１３ｂ  シャッタ
１３ｃ  上カバーロック機構
１４  バラ硬貨出金口
２０  包装硬貨処理部
２２  包装硬貨出金口
３０  バラ紙幣処理部
３２  バラ紙幣入金口
３４  バラ紙幣出金口
４０  帯封紙幣処理部
４２  帯封紙幣出金口
５０  指紋認証機
６０  制御部
６２  記憶部
６４  通信部
７０  第１の表示部
７２  第１のキーボード
７４  第１のカードリーダ
７６  第１のプリンタ
７８  第１の操作表示部
８０  第２の表示部
８２  第２のキーボード
８４  第２のカードリーダ
８６  第２のプリンタ
８８  第２の操作表示部
１０１  貨幣管理装置
１１０  第１の紙幣収納ドロア
１１２  第２の紙幣収納ドロア
１１４  第１の硬貨収納ドロア
１１６  第２の硬貨収納ドロア
１１８  予備収納ドロア
１２０  表示部
１２２  キーボード
１２４  カードリーダ
【図１】
2014232471.tif 000003
【図２】
2014232471.tif 000004
【図３】
2014232471.tif 000005
【図４】
2014232471.tif 000006
【図５】
2014232471.tif 000007
【図６】
2014232471.tif 000008
【図７】
2014232471.tif 000009